(57)【要約】【課題】圧縮機の始動時などにおいて一時的に急激な圧力低下が起っても、低圧圧力スイッチが誤作動を起こしたり、装置を停止したりするのを防止できる天然ガス、ＬＰＧ、水素などの燃料ガスの供給装置の提供。【解決手段】低圧の燃料ガス源１、低圧圧力スイッチ２を備えた低圧燃料ガス供給ラインＬ１、前記低圧燃料ガス供給ラインから供給される燃料ガスを吸入して所定の高圧力まで圧縮する圧縮機７、前記圧縮機で圧縮した燃料ガスの排出・供給ラインＬ２を順次接続した燃料ガス供給装置において、前記低圧圧力スイッチ２の圧力検出部と前記低圧燃料ガス供給ラインＬ１とを接続する管路１７に圧力変動緩和手段（キャピラリーチューブ１７Ａ）を設けることにより課題を解決できる。【選択図】図１
2005069106.tif 000002
【特許請求の範囲】
【請求項１】
低圧の燃料ガス源、低圧圧力スイッチを備えた低圧燃料ガス供給ライン、前記低圧燃料ガス供給ラインから供給される燃料ガスを吸入して所定の高圧力まで圧縮する圧縮機、前記圧縮機で圧縮した燃料ガスの排出・供給ラインを順次接続した燃料ガス供給装置において、前記低圧圧力スイッチの圧力検出部と前記低圧燃料ガス供給ラインとを接続する管路に圧力変動緩和手段を設けたことを特徴とする燃料ガス供給装置。
【請求項２】
前記圧力変動緩和手段がキャピラリーチューブであることを特徴とする請求項１記載の燃料ガス供給装置。
【発明の詳細な説明】
【技術分野】
【０００１】
本発明は低圧圧力スイッチを備えた燃料ガス供給装置に関するものであり、さらに詳しくは天然ガス、ＬＰＧなどの炭化水素、水素ガスなどの低圧の燃料ガスを所定の高圧力まで圧縮して自動車、マイクロガスタービン装置などに供給する燃料ガス供給装置に関するものである。
【背景技術】
【０００２】
従来、低圧の燃料ガス源から供給される天然ガス、ＬＰＧなどの炭化水素などの燃料ガスを所定の高圧力まで圧縮して自動車、マイクロガスタービン装置などに供給する燃料ガス供給装置が知られている（例えば、特許文献１参照）。
【０００３】
図２は、従来の燃料ガス供給装置のシステムの説明図である。
図２において、１は低圧の燃料ガス源、Ｌ１は燃料ガス源１に接続された低圧燃料ガス供給ライン、２は低圧燃料ガス供給ラインＬ１に備えられた図示しない圧力検出部を有する低圧圧力スイッチ、７は低圧燃料ガス供給ラインＬ１から供給される燃料ガスを吸入して所定の高圧力まで圧縮する圧縮機、Ｌ２は圧縮機７で圧縮した燃料ガスを排出してマイクロガスタービン装置（ＭＧＴ）１６へ供給するための排出・供給ラインである。１７は、低圧圧力スイッチ２の図示しない圧力検出部と低圧燃料ガス供給ラインＬ１とを接続する管路を示す。
【０００４】
低圧燃料ガス供給ラインＬ１には、燃料ガス中の塵埃などを除去するためのストレーナ３、吸入遮断電磁弁４、逆止弁５、低圧側バッファタンク６が備えられており、一方、排出・供給ラインＬ２には逆止弁８、図示しない圧力検出部を有する高圧圧力スイッチ９、高圧側リザーバタンク１０、排出管路１３が備えられている。１１はバイパスガス容量制御機構であり、１２はリリーフ弁、１４は圧縮機７を冷却するための冷却用ファン、１５は圧縮機７のインバータなどの制御回路を示す。
【０００５】
そして、低圧の燃料ガス源１から低圧燃料ガス供給ラインＬ１を経て低圧側バッファタンク６に供給される燃料ガスを圧縮機７で吸入して所定の高圧力（例えば、約６００ｋＰａ）まで圧縮した後、圧縮した燃料ガスを排出・供給ラインＬ２から高圧側リザーバタンク１０を経てマイクロガスタービン装置（ＭＧＴ）１６へ供給するようになっている。矢印は燃料ガスの流れを示す。
図２に示した燃料ガス供給装置の低圧圧力スイッチ２の図示しない圧力検出部と低圧燃料ガス供給ラインＬ１とは、例えば２分配管１７（外径６．３５ｍｍ、内径４．７５ｍｍ、肉厚０．８ｍｍの銅管）で接続されている。
【０００６】
低圧圧力スイッチ２は低圧側の燃料ガスの圧力を検出して所定の範囲内にあれば上記のように燃料ガス源１から低圧燃料ガス供給ラインＬ１を経て燃料ガスを圧縮機７に供給するが、例えば燃料ガス源１からの燃料ガス供給が少なくなったり、途絶えたり、あるいは高圧側から燃料ガスが逆流したりするなどにより検出した圧力が上記範囲外の場合は吸入遮断電磁弁４を閉めたり、圧縮機７を停止させたりする。
ところが、例えば燃料ガス源１が都市ガス（例えば約２ｋＰａ）である場合、圧縮機７の始動時などにおいて一時的に急激な圧力低下（例えば、一時的に０．２５ｋＰａ以下になるなど）が起こると、低圧圧力スイッチ２がこの一時的な吸入圧力変化の影響を直接受けて吸入遮断電磁弁４を閉めるなどの誤作動を起こしたり、装置を停止したりする問題があった。
【特許文献１】特開平８−１３５８９５号公報
【発明の開示】
【発明が解決しようとする課題】
【０００７】
本発明の目的は、従来の問題を解決し、圧縮機の始動時などにおいて一時的に急激な圧力低下が起っても、低圧圧力スイッチが誤作動を起こしたり、装置を停止したりするのを防止できる燃料ガス供給装置を提供することである。
【課題を解決するための手段】
【０００８】
前記課題を解決するための本発明の請求項１記載の燃料ガス供給装置は、低圧の燃料ガス源、低圧圧力スイッチを備えた低圧燃料ガス供給ライン、前記低圧燃料ガス供給ラインから供給される燃料ガスを吸入して所定の高圧力まで圧縮する圧縮機、前記圧縮機で圧縮した燃料ガスの排出・供給ラインを順次接続した燃料ガス供給装置において、前記低圧圧力スイッチの圧力検出部と前記低圧燃料ガス供給ラインとを接続する管路に圧力変動緩和手段を設けたことを特徴とする。
【０００９】
本発明の請求項２記載の燃料ガス供給装置は、請求項１記載の燃料ガス供給装置において、前記圧力変動緩和手段がキャピラリーチューブであることを特徴とする。
【発明の効果】
【００１０】
本発明の請求項１記載の燃料ガス供給装置は、低圧の燃料ガス源、低圧圧力スイッチを備えた低圧燃料ガス供給ライン、前記低圧燃料ガス供給ラインから供給される燃料ガスを吸入して所定の高圧力まで圧縮する圧縮機、前記圧縮機で圧縮した燃料ガスの排出・供給ラインを順次接続した燃料ガス供給装置において、前記低圧圧力スイッチの圧力検出部と前記低圧燃料ガス供給ラインとを接続する管路に圧力変動緩和手段を設けたことにより、低圧圧力スイッチの圧力検出部に急激な圧力低下の影響が直接伝わらず緩和されるので、圧縮機の始動時などにおいて一時的に急激な圧力低下が起っても、低圧圧力スイッチが誤作動を起こしたり、装置を停止したりするのを容易に防止できる。前記圧力変動緩和手段はニードル弁、オリフィスなどでよく特に限定されない。
【００１１】
本発明の請求項２記載の燃料ガス供給装置は、請求項１記載の燃料ガス供給装置において、前記圧力変動緩和手段がキャピラリーチューブであることを特徴とするものであり、キャピラリーチューブは構成が簡単で安価である上、適切な内径、長さを有するキャピラリーチューブを用いれば圧縮機の始動時などにおいて一時的な急激な圧力低下が起っても、低圧圧力スイッチが誤作動を起こしたり、装置を停止したりするのをさらに容易に防止できる。
【発明を実施するための最良の形態】
【００１２】
以下、本発明の実施の形態を図１に基づいて詳細に説明する。
図１は、本発明の燃料ガス供給装置の低圧圧力スイッチの圧力検出部と低圧燃料ガス供給ラインとを接続する管路に圧力変動緩和手段としてキャピラリーチューブを設けたことを示す説明図である。
図１において、本発明の燃料ガス供給装置は、低圧圧力スイッチ２の図示しない圧力検出部と低圧燃料ガス供給ラインＬ１とを接続する管路に圧力変動緩和手段としてキャピラリーチューブ１７Ａを設けた以外は、図２に示した燃料ガス供給装置と同様になっている。
キャピラリーチューブ１７Ａを設けたことにより、低圧圧力スイッチ２の圧力検出部に急激な圧力低下の影響が直接伝わらず緩和されるので、圧縮機７の始動時などにおいて一時的に急激な圧力低下が起っても、低圧圧力スイッチ２が誤作動を起こしたり、燃料ガス供給装置を停止したりするのを防止できる。
【００１３】
前記のように圧力変動緩和手段は１個以上のニードル弁やオリフィスなどでよく特に限定されない。しかし、キャピラリーチューブは構成が簡単で安価である上、適切な内径、長さを有するキャピラリーチューブを用いれば圧縮機の始動時などにおいて一時的に急激な圧力低下が起っても、低圧圧力スイッチが誤作動を起こしたり、装置を停止したりするのを容易に防止できるので本発明において好ましく使用できる。
キャピラリーチューブの材質は耐久性、剛性のあるものであればよく特に限定されるものではなく、銅系、鉄系などの金属、合成および／または天然のプラスチック、合成および／または天然のゴムなど、あるいはこれらの２つ以上の組み合わせでよい。
【００１４】
例えば内径１ｍｍ、長さ１ｍのキャピラリーチューブを用いると、燃料ガス源１が都市ガス（約２ｋＰａ）である場合、圧縮機７の始動時などにおいて一時的な急激な圧力低下が起っても、低圧圧力スイッチ２が誤作動を起こしたり、燃料ガス供給装置を停止したりするのを防止できる。
【００１５】
なお、本発明は上記実施例に限定されるものではないので、特許請求の範囲に記載の趣旨から逸脱しない範囲で各種の変形実施が可能である。
上記実施態様においては燃料ガスとして都市ガスの例を挙げたが、燃料ガスは都市ガスに限定されず、例えば天然ガス、ＬＰＧなどの炭化水素、水素ガスなどの燃料ガスを用いることができる。また上記実施態様においては、高圧力に圧縮した燃料ガスをマイクロガスタービン装置に供給する例を挙げたが、供給先はこれに限定されず、例えば自動車、飛行機などの乗り物、ボンベなどの圧力容器、各種工場など高圧燃料ガスを必要とするところへ供給できる。
【産業上の利用可能性】
【００１６】
燃料ガス供給装置は、低圧の燃料ガス源、低圧圧力スイッチを備えた低圧燃料ガス供給ライン、前記低圧燃料ガス供給ラインから供給される燃料ガスを吸入して所定の高圧力まで圧縮する圧縮機、前記圧縮機で圧縮した燃料ガスの排出・供給ラインを順次接続した燃料ガス供給装置において、前記低圧圧力スイッチの圧力検出部と前記低圧燃料ガス供給ラインとを接続する管路に圧力変動緩和手段を設けたことを特徴とするものであり、前記低圧圧力スイッチの圧力検出部と前記低圧燃料ガス供給ラインとを接続する管路に圧力変動緩和手段を設けたことにより、低圧圧力スイッチの圧力検出部に急激な圧力低下の影響が直接伝わらず緩和されるので、圧縮機の始動時などにおいて一時的に急激な圧力低下が起っても、低圧圧力スイッチが誤作動を起こしたり、装置を停止したりするのを容易に防止できるので産業上の利用価値が高い。
前記圧力変動緩和手段がキャピラリーチューブであると、構成が簡単で安価である上、適切な内径、長さを有するキャピラリーチューブを用いれば、圧縮機の始動時などにおいて一時的に急激な圧力低下が起っても、低圧圧力スイッチが誤作動を起こしたり、装置を停止したりするのをさらに容易に防止できる。
【図面の簡単な説明】
【００１７】
【図１】本発明の燃料ガス供給装置の低圧圧力スイッチの圧力検出部と低圧燃料ガス供給ラインとを接続する管路に圧力変動緩和手段としてキャピラリーチューブを設けたことを示す説明図である。
【図２】従来の燃料ガス供給装置のシステムの説明図である。
【符号の説明】
【００１８】
Ｌ１  低圧燃料ガス供給ライン
Ｌ２  排出・供給ライン
１  低圧の燃料ガス源
２  低圧圧力スイッチ
３  ストレーナ
４  吸入遮断電磁弁
５、８  逆止弁
６  低圧側バッファタンク
７  圧縮機
９  高圧圧力スイッチ
１０  高圧側リザーバタンク
１１  バイパスガス容量制御機構
１２  リリーフ弁
１３  排出管路
１４  冷却用ファン
１５  制御回路
１６  マイクロガスタービン装置（ＭＧＴ）
１７  管路
１７Ａ  キャピラリーチューブ
【図１】
2005069106.tif 000003
【図２】
2005069106.tif 000004